(57)【要約】【課題】上映準備に必要な作業の優先度を容易に判別できるようにする。【解決手段】ディジタルシネマ管理装置のコントロール部は、スケジュール管理を行うための管理画面を表示部に表示させる。コントロール部は、例えば管理画面において、再生装置毎に、上映されるコンテンツを示す表示を時間軸上に配置した配列表示を行う。コントロール部は、再生装置でコンテンツを上映スケジュールにしたがって上映するための条件が満たされていないとき、上映日までの日数に応じて緊急度の判別を行い、再生装置と上映されるコンテンツとによって示される表示の属性を判別した緊急度に応じて切り替える。例えば緊急度に応じて背景色を切り替える。背景色によって緊急度を判別できるので、いずれのコンテンツに対する作業を優先しなければならないか容易に把握できる。【選択図】        図１０
2010231611.tif 000002
【特許請求の範囲】
【請求項１】
再生装置で行われるコンテンツの上映についてのスケジュール管理と、該スケジュール管理を行うための管理画面の表示制御を行うコントロール部を備え、
前記コントロール部は、前記再生装置で上映スケジュールにしたがってコンテンツを上映するための条件が満たされていないとき、上映日までの日数に応じて緊急度の判別を行い、前記管理画面上の表示の属性を前記判別された緊急度に応じて切り替える
ディジタルシネマ管理装置。
【請求項２】
前記コントロール部は、前記管理画面において、前記再生装置と該再生装置で上映されるコンテンツを関連付けて表示して、前記再生装置と上映される前記コンテンツとによって示される表示の属性を、該コンテンツの上映について判別した緊急度に応じて切り替える
請求項１記載のディジタルシネマ管理装置。
【請求項３】
前記コントロール部は、前記管理画面において、前記再生装置毎に、前記上映されるコンテンツを示す表示を時間軸上に配置した配列表示を行い、前記コンテンツの上映について判別した緊急度に応じて、該コンテンツを示す表示の属性を前記判別された緊急度に応じて切り替える
請求項２記載のディジタルシネマ管理装置。
【請求項４】
前記コントロール部は、前記判別された緊急度に応じて表示色を切り替える
請求項３記載のディジタルシネマ管理装置。
【請求項５】
前記コントロール部は、前記満たされていない条件を示す表示を前記管理画面に表示させる
請求項２記載のディジタルシネマ管理装置。
【請求項６】
前記コントロール部は、前記再生装置と該再生装置で上映されるコンテンツを関連付けた表示と、前記満たされていない条件を示す表示において、緊急度が示されたコンテンツと、該緊急度の判別が行われたときに満たされていない条件を関連付けて表示させる
請求項５記載のディジタルシネマ管理装置。
【請求項７】
前記コントロール部は、前記満たされていない条件を示す表示において、条件が満たされていないコンテンツ毎に表示を行い、表示されたコンテンツからいずれかが選択されたとき、前記再生装置と該再生装置で上映されるコンテンツを関連付けた表示では、前記選択されたコンテンツの上映日の表示を行う
請求項５記載のディジタルシネマ管理装置。
【請求項８】
前記コントロール部は、前記緊急度の判別が行われたときに満たされていない条件が所定の条件であるとき、前記コンテンツを示す表示の透過度を切り替える
請求項６記載のディジタルシネマ管理装置。
【請求項９】
前記コントロール部は、予め設定された閾値と前記上映日までの日数を比較して、比較結果に応じて緊急度の判別を行う
請求項２記載のディジタルシネマ管理装置。
【請求項１０】
表示部において、再生装置で行われるコンテンツの上映についてスケジュール管理を行うための管理画面を表示するステップと、
コントロール部で、前記再生装置で上映スケジュールにしたがってコンテンツを上映するための条件が満たされていないとき、上映日までの日数に応じて緊急度の判別を行い、前記管理画面上の表示の属性を前記判別された緊急度に応じて切り替えるステップとを備える
ディジタルシネマ管理方法。
【発明の詳細な説明】
【技術分野】
【０００１】
この発明は、ディジタルシネマ管理装置とディジタルシネマ管理方法に関する。詳しくは、上映が予定されているコンテンツのデータが取得されていないとき緊急度表示を行うようにする。
【背景技術】
【０００２】
映画を取り巻く環境は、ディジタル技術の進歩によりフィルムからディジタル信号へと変化し、ビデオ機材を使用した映画の制作、プロジェクタ等を用いた映画の上映等が行われている。このようなディジタルシネマの実現には、制作者の意図するイメージやサウンドを忠実に再現するための映像・音声技術に加え、データ圧縮技術や著作権保護のための暗号化処理技術などが用いられている。
【０００３】
また、映画を上映する場合、映画配給会社に設置されたサーバで作成された所定の形式のデータを各劇場に提供し、各劇場では提供されたデータを再生装置で再生して、ディジタルシネマを上映することが行われる。なお、映画配給会社から各劇場に提供されるデータの形式としては、例えばディジタルシネマイニシアチブ（ＤＣＩ：Digital Cinema Initiative）が提唱した仕様に準拠するディジタルシネマパッケージ（ＤＣＰ：Digital Cinema Package）と呼ばれる形式が用いられている。
【０００４】
また、特許文献１では、画面表示を見て、上映するコンテンツの編集や編成および上映スケジュールの作成を一括して行うようにして、映画上映番組データを上映用サーバユニットに送出すると共に、コンテンツをシネマサーバに送出することが開示されている。
【先行技術文献】
【特許文献】
【０００５】
【特許文献１】特開２００３−２４４６２５号公報
【発明の概要】
【発明が解決しようとする課題】
【０００６】
ところで、オーディトリアム（Auditorium）の数が多くなると、どのようなスケジュールでどのようなコンテンツをいずれのオーディトリアムで上映するか管理が複雑となる。また、上映が開始される前に、上映するコンテンツのデータ等を再生装置に供給しておかなければ、スケジュールに合わせてコンテンツの上映を行うことができなくなってしまう。このため、上映スケジュールの確認や再生装置で記憶しているコンテンツの確認等を行い、上映が行われる前に必要とされるコンテンツのデータ等を再生装置に供給する作業を行う。しかし、オーディトリアムの数が多いと、オーディトリアム毎に上映スケジュールの確認や再生装置で記憶しているコンテンツの確認等が必要となるだけでなく、いずれの作業を優先しなければならないか、簡単かつ容易に判別することは困難となってしまう。
【０００７】
そこで、この発明では、上映準備に必要な作業の優先度を容易に判別できるディジタルシネマ管理装置とディジタルシネマ管理方法を提供することを目的とする。
【課題を解決するための手段】
【０００８】
この発明の第１の側面は、  再生装置で行われるコンテンツの上映についてのスケジュール管理と、該スケジュール管理を行うための管理画面の表示制御を行うコントロール部を備え、前記コントロール部は、前記再生装置で上映スケジュールにしたがってコンテンツを上映するための条件が満たされていないとき、上映日までの日数に応じて緊急度の判別を行い、前記管理画面上の表示の属性を前記判別された緊急度に応じて切り替えるディジタルシネマ管理装置にある。
【０００９】
この発明において、コントロール部は、管理画面において、例えば再生装置毎に、上映されるコンテンツを示す表示を時間軸上に配置した配列表示を行い、再生装置でコンテンツを上映スケジュールにしたがって上映するための条件が満たされていないとき、予め設定された閾値と上映日までの日数を比較して、比較結果に応じて緊急度の判別を行う。さらに、コントロール部は、再生装置と上映されるコンテンツとによって示される配列表示の例えば背景色を判別した緊急度に応じて切り替える。さらに、コントロール部は、満たされていない条件を示す表示を管理画面に表示して、上映されるコンテンツを示す表示を時間軸上に配置した配列表示と関連付ける。また、緊急度の判別が行われたときに満たされていない条件が所定の条件であるとき、例えばコンテンツを示す表示の透過度を切り替える。
【００１０】
この発明の第２の側面は、表示部において、再生装置で行われるコンテンツの上映についてスケジュール管理を行うための管理画面を表示するステップと、コントロール部で、前記再生装置で上映スケジュールにしたがってコンテンツを上映するための条件が満たされていないとき、上映日までの日数に応じて緊急度の判別を行い、前記管理画面上の表示の属性を前記判別された緊急度に応じて切り替えるステップとを備えるディジタルシネマ管理方法にある。
【発明の効果】
【００１１】
この発明によれば、上映スケジュールにしたがって再生装置でコンテンツの上映を行うために予め設定されている確認項目において、上映の条件を満たさない項目が検出されたき、上映日までの日数に応じて緊急度の判別を行い、管理画面上の表示の属性が判別された緊急度に応じて切り替えられる。このため、上映準備に必要な作業において、どのような作業を優先して行わなければならないか容易に把握できる。
【図面の簡単な説明】
【００１２】
【図１】ディジタルシネマシステムの概略構成を示す図である。
【図２】ディジタルシネマパッケージＤＣＰのファイル構成を示す図である。
【図３】管理装置と再生装置の構成を例示した図である。
【図４】スケジュール表示を例示した図である。
【図５】コントロール部２０１の動作を示すフローチャートである。
【図６】チェックテーブルを例示した図である。
【図７】緊急度の判別結果を例示した図である。
【図８】緊急度設定表示を例示した図である。
【図９】緊急度に応じた表示の属性切り替えを例示した図である。
【図１０】イベントの背景色を緊急度に応じて変化された場合を例示した図である。
【図１１】スケジュール表示とＴｏＤｏリスト表示を画面上に表示した場合を例示した図である。
【図１２】スケジュール表示とＴｏＤｏリスト表示をリンクさせた場合（１／２）を例示した図である。
【図１３】スケジュール表示とＴｏＤｏリスト表示をリンクさせた場合（２／２）を例示した図である。
【図１４】ＤＣＰ／ＫＤＭリスト表示を例示した図である。
【発明を実施するための形態】
【００１３】
以下、発明を実施するための形態について説明する。なお、説明は以下の順序で行う。
１．ディジタルシネマシステムの構成
２．ディジタルシネマパッケージＤＣＰの構成
３．管理装置と再生装置の構成
４．管理装置の動作
【００１４】
＜１．ディジタルシネマシステム構成＞
図１は、ディジタルシネマシステムの概略構成を示している。ディジタルシネマシステム１０は、ディジタルシネマ管理装置（以下「管理装置」という）２０とセントラルストレージ装置（以下「ストレージ装置」という）３０およびオーディトリアム（Auditorium）毎に設置された再生装置４０を用いて構成されている。
【００１５】
管理装置２０は、再生装置４０を用いて上映するコンテンツのスケジュール作成等を行う。また、管理装置２０は、再生装置４０で上映するコンテンツのデータをセントラルストレージ装置３０から読み出して再生装置４０に供給する。
【００１６】
セントラルストレージ装置３０は、各再生装置４０で上映するコンテンツのデータ等を記憶する。このセントラルストレージ装置３０は、例えばＲＡＩＤ（Redundant Arrays of Inexpensive Disks)を利用した記憶装置が用いられる。
【００１７】
再生装置４０は、コンテンツ記憶部やデコード部、プロジェクタ、音声出力部等を備えている。再生装置４０は、コンテンツ記憶部に記憶されているコンテンツのデータをスケジュールにしたがってデコード部に供給する。デコード部は、コンテンツのデータを復号して得られた映像や字幕のデータをプロジェクタに出力する。また、デコード部は、コンテンツのデータを復号して得られた音声のデータを音声出力部に出力する。このようにして、オーディトリアムに設置されている再生装置４０によってディジタルシネマの上映が可能となる。
【００１８】
管理装置２０は、スケジューリングされた上映の前に新聞や他のソースに上映予定を提供する劇場チケットシステム（図示せず）と接続されている。なお、上映予定では、いずれのオーディトリアムでどのような映画をいつ上映するか等を示すイベントの情報が提供される。管理装置２０は、劇場チケットシステムからイベントに関する情報を取得してスケジュール作成を行う。
【００１９】
管理装置２０は、例えばショーテンプレートを用いたスケジュール作成を行う。管理装置２０は、ショーテンプレートを表示する。上映オペレータは、ショーテンプレートにしたがって、シネアド（劇場用広告）やトレーラー（映画告知）映画本編等を設定する。例えばディジタルシネマパッケージ（ＤＣＰ：Digital Cinema Package）と呼ばれる形式を用いる場合、後述するコンポジションプレイリストＣＰＬやコンポジションプレイリストＣＰＬをグループ化したプログラムをショーテンプレートに設定する。このようにショーテンプレートを利用することで、上映オペレータは、スケジュール作成を容易に行うことができる。
【００２０】
ここで、１つのイベントにおいてショーテンプレートに設定されたリストに基づいた上映を「ショー」と呼ぶ。また、ショーテンプレートに設定されたリストをまとめて「ショープレイリスト」と呼ぶ。すなわち、ショープレイリストに基づいたデータの再生等を行うことによって、１つのイベントにおけるショーが行われることになる。また、イベントとショープレイリストを関係付けることで、イベントで示された時刻にショープレイリストに基づいたデータの再生等を行うことで、各イベントの時刻でショーを行うことができる。なお、ショーでは、照明の制御やスクリーンサイズ等の制御も行われる。
【００２１】
また、ディジタルシネマシステム１０で用いられる形式は、ディジタルシネマパッケージＤＣＰ（以下「ＤＣＰ」という）に限られるものではなく、例えばシネアドではＭＰＥＧ形式等も用いられる。
【００２２】
さらに、コンテンツのデータは、不正なアクセス、コピー、編集、再生を防ぐために暗号化されている場合がある。この場合、暗号化されているデータの復号に用いる鍵を、コンテンツの上映前に取得しておかなければならない。例えばディジタルシネマイニシアチブ（ＤＣＩ：Digital Cinema Initiative）が提唱した仕様では、鍵配信メッセージＫＤＭ（Key Delivery Message）が規定されている。鍵配信メッセージＫＤＭ（以下「ＫＤＭ」という）は、コンテンツ上映に対する許可やそれに必要な情報を特定の劇場に提供する資格付与メッセージである。したがって、例えばＤＣＰ形式のデータを再生装置４０で再生する場合、管理装置２０は、コンテンツの上映前にＫＤＭを再生装置４０に記憶させておく。このようにすれば、コンテンツのデータが暗号化されていても再生装置４０でコンテンツの上映が可能となる。
【００２３】
＜２．ディジタルシネマパッケージＤＣＰの構成＞
次に、一般的なＤＣＰのファイル構成について説明する。図２は、一般的なＤＣＰのファイル構成を示す説明図である。
【００２４】
ディジタルシネマのコンテンツは、ディジタルシネマイニシアチブ（ＤＣＩ：Digital Cinema Initiative）が提唱した仕様に準拠するＤＣＰと呼ばれるデータ形式で配給される。ＤＣＰは、ディジタルシネマの上映に必要な各種のデータファイルの集合である。
【００２５】
ＤＣＰは、図２に示すように、アセットマップＡＭ（Asset Map）、ボリュームインデックスＶＩ（Volume Index）、パッキングリストＰＬ（Packing List）、コンポジションプレイリストＣＰＬ（Composition Play List）を含む。さらに、ＤＣＰは、ピクチャートラックファイル（Picture Track file）、サウンドトラックファイル（Sound Track file）等を含む。これらの各ファイルには、それぞれグローバルユニークな識別情報、例えばＵＵＩＤ(Universal Unique Identifier)が付与されており、各ファイルのＵＵＩＤは、当該各ファイル内に記述されている。以下に、ＤＣＰを構成する各ファイルについてそれぞれ説明する。
【００２６】
・アセットマップＡＭ（Asset Map）
アセットマップには、１つのＤＣＰに含まれる全ファイル（アセットマップ自体は除く。）に関するリストが記述されている。アセットマップには、例えばＤＣＰ内の各ファイルに記載されたＵＵＩＤと、当該ファイルのファイル名とを対応付けたリストが記載されている。アセットマップは、利用者が、ＤＣＰ内に含まれる各ファイルを確認するためなどに利用できる。このアセットマップはディジタルシネマ単位で作成されて、後述するようにＤＣＰが分割されたときも、１つのディジタルシネマについては、複数の分割ＤＣＰで共通の１つのアセットマップのみが作成される。なお、後述のサブタイトル用ＰＮＧファイルは、ＵＵＩＤを記述できないフォーマットとなっている。したがって、アセットマップにおいて各ＰＮＧファイルのファイル名と、そのＵＵＩＤとを関連付けて記述しておくことで、各ＰＮＧファイルとＵＵＩＤとを対応付けられる。
【００２７】
・ボリュームインデックスＶＩ（Volume Index）
ボリュームインデックスには、ＤＣＰが複数の分割単位（分割ＤＣＰ）に分割されたときに、各分割単位を識別するためのインデックス情報が記載される。
【００２８】
・パッキングリストＰＬ（Packing List：ＰＬ）
パッキングリストには、１つのＤＣＰに含まれる全ファイル（ＰＬ自体は除く。）のＵＵＩＤとハッシュ値とを関連付けたリストが記載されている。ハッシュ値は、ＤＣＰ内の各ファイルのデータをハッシュ計算した値である。このパッキングリストに記述された各ファイルのハッシュ値と、実際に求めた当該各ファイルのハッシュ値とを比較して、一致度をチェックすることにより、当該各ファイルの完全性（データ破損の有無など）を検証できる。
【００２９】
・コンポジションプレイリストＣＰＬ（Composition Play List）
コンポジションプレイリストＣＰＬ（以下「ＣＰＬ」という）は、ＤＣＰに含まれるコンテンツ（映像、音声、字幕）の再生に使用されるプレイリストである。ＣＰＬは、ディジタルシネマの各々の上映バージョンに対応するピクチャートラックファイルと、サウンドトラックファイル（および／またはサブタイトルトラックファイル）とを相互に関連付けるリンク情報である。このＣＰＬは、１つのディジタルシネマの上映バージョン単位で作成される。
【００３０】
ＣＰＬには、映像ファイルであるピクチャートラックファイル、音声ファイルおよび／または字幕ファイルに関し、各ファイルのＵＵＩＤと、各ファイルのデータの開始位置（entry point）および尺の長さ(duration)とが全リール分まとめて記述される。ここで、リールとは、映像および音声（必要に応じて字幕)をあわせた１つの上映単位を、時間的に細分化した単位である。例えば、１つのディジタルシネマ（１２０分）を時間的に１０個に均等分割した場合には、１０個のリール（１２分単位）が作成される。また、開始位置（entry point）は、各リールの映像または音声ファイルのデータの上映開始位置を示すオフセットである。尺の長さ(duration)は、その開始位置からの有効なデータ範囲を示すサイズ情報である。
【００３１】
１つのディジタルシネマが複数リールから構成される場合は、ＣＰＬには、それら全てのリール情報（各リールを構成する映像、音声、字幕ファイルのＵＵＩＤ、その開始位置および尺の長さ）が記述されており、これら全てのリールが１つの上映単位となる。通常は、ディジタルシネマは複数のリールで構成されるので、これら全てのリールに関するリール情報が、１つのＣＰＬにまとめて記述される。
【００３２】
上映バージョンとは、ディジタルシネマの１つの上映単位を意味しており、例えば、言語バージョン（英語音声版、日本語音声版、日本語字幕版など）などである。ＣＰＬは、１つのディジタルシネマの上映バージョン毎にそれぞれ作成される。
【００３３】
・ピクチャートラックファイル（Picture Track file）
ピクチャートラックファイルは、所定の形式で圧縮された映像データのファイルである。ピクチャートラックファイルは、必要なリール数分存在する。また、同一シーンについて複数種類の映像ファイル（例えば、オリジナル版の映像と差替版の映像）を作成することもできる。
【００３４】
・サウンドトラックファイル（Sound Track file）
サウンドトラックファイルは、所定の形式で圧縮された音声データのファイルである。このサウンドトラックファイルは、必要なリール数分存在する。また、同一シーンについて複数種類の音声ファイル（例えば、オリジナル版の音声と差替版の音声）を作成することもできる。
【００３５】
なお、ＤＣＰには、字幕表示を行うためのファイル（図示せず）等も設けられる。
【００３６】
＜３．管理装置と再生装置の構成＞
図３は、管理装置２０と再生装置４０の構成を例示した図である。
【００３７】
管理装置２０は、コントロール部２０１、入力部２０２、表示部２０３と、データ格納部２０４、ドライブ部２０５、通信部２０６、接続ポート２０７、各部を相互に接続するローカルバス２０８とを備える。
【００３８】
コントロール部２０１は、ＣＰＵやＲＯＭ，ＲＡＭを用いて構成されている。ＣＰＵは、ＲＯＭに記憶されているプログラム、またはデータ格納部２０４からＲＡＭにロードされたプログラムを実行して、後述する入力部２０２からの操作信号に基づき、ユーザ操作に応じた各種の処理を実行する。例えばコントロール部２０１は、スケジュールの作成や、スケジュールにしたがったコンテンツの上映を再生装置４０で行わせる処理等を実行する。また、コントロール部２０１は、コンテンツの上映についてスケジュール管理を行うための管理画面等を後述する表示部２０３で表示させる。さらに、コントロール部２０１は、再生装置４０でコンテンツを上映スケジュールにしたがって上映するための条件が満たされていないとき、上映日までの日数に応じて緊急度の判別を行い、管理画面上の表示の属性を前記判別された緊急度に応じて切り替える。
【００３９】
コントロール部２０１のＲＯＭは、ＣＰＵが使用するプログラムや演算パラメータ等を記憶する。ＲＡＭは、ＣＰＵの実行において使用するプログラムや、その実行において適宜変化するパラメータ等を一時的に記憶する。
【００４０】
入力部２０２は、例えば、マウス、キーボード、タッチパネル、ボタン、スイッチ、レバー等を用いて構成されており、入力部２０２に対するユーザ操作に応じて操作信号をコントロール部２０１に出力する。ユーザは、この入力部２０２を操作することにより、管理装置２０に対して各種のデータを入力したり、処理動作を指示したりすることができる。
【００４１】
表示部２０３は、例えば、液晶ディスプレイ（ＬＣＤ）等の表示デバイスを用いて構成されている。この表示部２０３では、例えば、ディジタルシネマシステムの各再生装置４０で行われる上映動作を管理するための管理画面等の表示を行う。なお、表示部は、管理装置２０と別個に設けられていてもよい。
【００４２】
データ格納部２０４は、例えばハードディスクやＳＳＤ（Solid State Drive）等を用いて構成されている。データ格納部２０４は、コントロール部２０１が実行するプログラムや、スケジュール情報、ログ、ショープレイリストなど、各種データを記憶する。
【００４３】
ドライブ部２０５は、着脱可能な記録媒体に対して、各種データの書き込み／読み出しを行う。例えば、記録媒体に記録されているディジタルシネマの素材コンテンツ、ＤＣＰ、構成情報などの各種データの読み出し等を行う。
【００４４】
通信部２０６は、例えば、無線や有線の通信路を介して管理装置２０を外部機器と接続するための通信デバイス等で構成された通信インタフェースである。管理装置２０は、通信部２０６を介して外部機器と各種データの送受信例えばコンテンツのデータ等の受信を行う。
【００４５】
接続ポート２０７は、管理装置２０をセントラルストレージ装置３０や再生装置４０と接続するためのポートである。この接続ポート２０７にセントラルストレージ装置３０や再生装置４０を接続して、管理装置２０とセントラルストレージ装置３０や再生装置４０との間で、種々のデータの通信を行う。
【００４６】
なお、管理装置２０は、図３に示す構成に限られるものではなく、例えば表示部が管理装置と別個に設けられた構成であってもよい。また、ドライブ部等が管理装置と別個に設けられた構成であってもよい。
【００４７】
再生装置４０は、コントロール部４０１、入力部４０２と、表示部４０３と、コンテンツ記憶部４０４、映像デコード部４０５、音声デコード部４０６、接続ポート４０７，４０８，４０９、各部を相互に接続するローカルバス４１０を備えている。また、再生装置４０には、プロジェクタ４１５、音声出力部４１６等が設けられている。
【００４８】
コントロール部４０１、入力部４０２、表示部４０３はそれぞれ、管理装置２０のコントロール部２０１、入力部２０２、表示部２０３と略同一の機能構成を有している。また、コントロール部４０１は、管理装置２０から供給されたスケジュール情報等に基づき各部を制御して、スケジュールにしたがったコンテンツの上映を行う。
【００４９】
コンテンツ記憶部４０４は、上映するコンテンツのデータを記憶する。映像デコード部４０５は、コンテンツの映像データが圧縮符号化されたデータであるとき、この圧縮符号化されたデータを復号（デコード）する。音声デコード部４０６は、コンテンツの音声データが圧縮符号化されたデータであるとき、この圧縮符号化されたデータを復号（デコード）する。また、映像デコード部４０５と音声デコード部４０６は、映像や音声のデータが暗号化されているとき、管理装置２０から提供された鍵を用いて、暗号化されている映像データや音声データの復号（デクリプト）を行う。
【００５０】
接続ポート４０７は、再生装置４０を、管理装置２０やセントラルストレージ装置３０と接続するためのポートである。この接続ポート４０７により、管理装置２０とセントラルストレージ装置３０と再生装置４０との間で各種のデータの通信が可能となる。
【００５１】
接続ポート４０８は、プロジェクタ４１５を接続するためのポートである。接続ポート４０９は、音声出力部４１６を接続するためのポートである。
【００５２】
プロジェクタ４１５は、コンテンツ記憶部４０４から読み出された映像データや映像デコード部４０５で復号（デコードおよび／またはデクリプト）された映像データに基づき、スクリーンにコンテンツの映像を投影する。
【００５３】
音声出力部４１６は、増幅器やスピーカ等を用いて構成されている。音声出力部４１６は、コンテンツ記憶部４０４から読み出された音声データや音声デコード部４０６で復号（デコードおよび／またはデクリプト）された音声データに基づき、コンテンツの音声出力を行う。
【００５４】
＜４．管理装置の動作＞
ディジタルシネマシステム１０において、管理装置２０のコントロール部２０１は、再生装置４０でコンテンツを上映スケジュールにしたがって上映するための条件が満たされていないとき、上映日までの日数に応じて緊急度の判別を行う。また、コントロール部２０１は、判別された緊急度に応じてスケジュール管理を行うための管理画面上の表示の属性を切り替えることで、上映作業において優先して行う作業を容易に把握できるようにする。
【００５５】
図４は、スケジュール表示を例示している。スケジュール表示では、再生装置とこの再生装置で上映されるコンテンツを関連付けて表示して、再生装置と上映されるコンテンツとによって示される表示の属性を、コンテンツの上映について判別した緊急度に応じて切り替える。なお、図４では、オーディトリアムを縦方向に並べて、オーディトリアム毎に、上映されるコンテンツを示す表示を、横方向の時間軸上に配置した配列表示を示している。また、図４では、コンテンツの上映について判別した緊急度に応じて、コンテンツを示す表示の属性を判別された緊急度に応じて切り替える場合を例示している。
【００５６】
管理画面では現在の日時を示す表示ＧＵａと、メニュー項目「Ｓｔａｔｕｓ」「Ｓｃｈｅｄｕｌｅ」「Ｓｈｏｗ／Ｐｒｏｇｒａｍ」「Ａｓｓｅｔ」「Ｃｏｎｆｉｇｕｒａｔｉｏｎ」を示すボタン表示ＧＵｂが設けられている。ここで、メニュー項目「Ｓｃｈｅｄｕｌｅ」が選択されたとき、例えば「Ｄａｙ」と「Ｗｅｅｋ」のタブＧＵｃが表示されて、「Ｄａｙ」のタブが選択されたとき、１日のスケジュール表示ＧＵｄが画面上に表示される。図４に示す１日のスケジュール表示ＧＵｄでは、４つのオーディトリアムＮｏ１〜Ｎｏ４とオーディトリアムＮｏ５の一部分が縦方向に並べて表示されている。また、各オーディトリアムについて、時間軸を横方向として、上映されるコンテンツを示す表示であるイベント表示が上映時刻に対応する時間軸の位置に配置されている。例えば、オーディトリアムＮｏ１については、１０時に上映が行われるイベントから２０時に上映が行われるイベントまでの４つのイベント表示が設けられている。なお、スケジュール表示ＧＵｄにはスクロールバーが設けられており、スクロールバーを操作することで、所望のオーディトリアムや所望の時刻についての表示を行うことができるようになされている。
【００５７】
なお、メニュー項目「Ｓｔａｔｕｓ」は各再生装置の動作状態等を管理するときに選択される項目である。メニュー項目「Ｓｈｏｗ／Ｐｒｏｇｒａｍ」は、ショープレイリストやＣＰＬ等を管理するときに選択される項目である。メニュー項目「Ａｓｓｅｔ」は、ＤＣＰやＫＤＭの管理等を行うときに選択される項目である。メニュー項目「Ｃｏｎｆｉｇｕｒａｔｉｏｎ」は、種々の設定等を行うときに選択される項目である。また、タブ「Ｗｅｅｋ」が選択されたときは、１週間のスケジュール表示が画面上に表示される。
【００５８】
図５は、コントロール部２０１の動作を示すフローチャートである。ステップＳＴ１で管理装置２０は、イベントについて確認項目に該当するか否か判別する。管理装置２０は、上映終了時刻が現在時刻よりも未来にある各イベントに対して、下記の確認項目に該当するか否か判別する。
確認項目１）イベントが他のイベントと重複していないか。
確認項目２）イベントにショーが関連付いているか。
確認項目３）イベントのショーにＣＰＬやプログラムが関連付いているか。
確認項目４）イベントのプログラムにＣＰＬが関連付いているか。
確認項目５）イベントの上映時間に有効な鍵が再生装置に存在しているか。
確認項目６）イベントに必要なコンテンツが再生装置に記憶されているか。
【００５９】
なお、上映終了時刻が現在時刻よりも過去にあるイベントは、上映が完了していることから、緊急度に無関係であることを識別可能とする表示とする。例えば、後述する緊急度を示す色や正常状態を示す色とは異なる灰色とする。
【００６０】
ステップＳＴ２で管理装置２０は、全ての確認項目に該当しているか否かを判別する。管理装置２０は、全ての確認項目に該当していると判別したときステップＳＴ３に進み、いずれかの確認項目が該当していないときはステップＳＴ４に進む。
【００６１】
ステップＳＴ３で管理装置２０は、正常表示を行う。管理装置２０は、確認項目が全て該当しており、上映の準備が完了していることから、イベント表示の背景色を正常状態であることを示す色例えば白色として処理を終了する。
【００６２】
ステップＳＴ４で管理装置２０は、緊急度の判別を行う。管理装置２０は、チェックテーブルを用いて、上映日までの日数に基づき緊急度の判別を行う。
【００６３】
図６はチェックテーブルを例示している。図６の（Ａ）は、Ｅｖｅｎｔチェックテーブルである。Ｅｖｅｎｔチェックテーブルは、確認項目１〜４のいずれかが該当しないときに、緊急度の判定に用いるチェックテーブルである。図６の（Ｂ）は、ＤＣＰチェックテーブルである。ＤＣＰチェックテーブルは、確認項目６が該当しないときに、緊急度の判定に用いるチェックテーブルである。図６の（Ｃ）は、ＫＤＭチェックテーブルである。ＫＤＭチェックテーブルは、確認項目５が該当しないときに、緊急度の判定に用いるチェックテーブルである。
【００６４】
図６では、例えば緊急度に関する状態として「致命的な状態」「エラー状態」「ワーニング状態」の３つの状態を設定しており、「致命的な状態」を緊急度３、「エラー状態」を緊急度２、「ワーニング状態」を緊急度１としている。「致命的な状態」とは、上映に支障を来すことがないように、速やかに対処する必要がある状態である。「ワーニング状態」とは、速やかに対処する必要はないが、対処しないと上映に支障を来す状態である。「エラー状態」とは、「致命的な状態」と「ワーニング状態」の中間の状態であり、例えば上映の準備を行うことができるようにしておく状態である。
【００６５】
チェックテーブルでは、「致命的な状態」「エラー状態」「ワーニング状態」の３つの状態のいずれであるかを識別可能とする閾値（日数）が設定されている。この閾値と上映日までの日数との比較結果に応じて、いずれの状態であるか識別して、識別結果に基づき緊急度の判別を行う。
【００６６】
コンテンツのデータを再生装置４０に記憶させるまでには、種々の処理時間が必要となる。例えば、コンテンツのデータが劇場に届くまでの時間、セントラルストレージ装置３０にコンテンツのデータをコピーする時間、セントラルストレージ装置３０から再生装置４０にコンテンツのデータを転送して記憶させる時間が必要となる。したがって、図６の（Ｂ）に示すＤＣＰチェックテーブルにおける閾値Ｍｄ，Ｎｄは、これらの時間を考慮して設定しておく。例えば、コンテンツのデータが劇場に届く日が上映開始日の４〜５日前であるとしたとき、ＤＣＰチェックテーブルにおける閾値を「Ｍｄ＝２，Ｎｄ＝５」に設定する。
【００６７】
このように閾値Ｍｄ，Ｎｄを設定すると、確認項目６が該当しないとき、図７の（Ａ）に示すように、上映５日前よりもさらに前の日であるときは、緊急度１と判別される。また、上映５日前から上映３日前の期間では、緊急度２と判別される。さらに、上映２日前から上映日の期間では、緊急度３と判別される。
【００６８】
また、鍵についてもコンテンツのデータと同様に、再生装置４０に記憶させるまでには、種々の処理時間が必要となる。例えば、鍵が劇場に届くまでの時間、セントラルストレージ装置３０に鍵をコピーする時間、セントラルストレージ装置３０から再生装置４０に鍵を転送して記憶させる時間が必要となる。したがって、図６の（Ｃ）に示すＫＤＭチェックテーブルにおける閾値Ｍｋ，Ｎｋは、これらの時間を考慮して設定しておく。例えば、鍵の届く日が上映開始日の２〜３日前であるとしたとき、ＫＤＭチェックテーブルにおける閾値を「Ｍｋ＝２，Ｎｋ＝３」に設定する。
【００６９】
このように閾値Ｍｋ，Ｎｋを設定すると、確認項目５が該当しないとき、図７の（Ｂ）に示すように、上映３日前よりもさらに前の日であるときは、緊急度１と判別される。また、上映３日前では、緊急度２と判別される。さらに、上映２日前から上映日の期間では、緊急度３と判別される。
【００７０】
また、Ｅｖｅｎｔチェックテーブルにおいても、確認項目１〜４に応じて閾値Ｍｅ，Ｎｅを設定する。
【００７１】
図８は、緊急度設定表示を例示している。緊急度設定表示では、Ｅｖｅｎｔチェックテーブルにおける閾値Ｍｅ，Ｎｅ、ＤＣＰチェックテーブルにおける閾値Ｍｄ，Ｎｄ、ＫＤＭチェックテーブルにおける閾値Ｍｋ，Ｎｋが設定可能とされている。
【００７２】
図８に示すようにメニュー項目「Ｃｏｎｆｉｇｕｒａｔｉｏｎ」が選択されたときは、上述のように７つのタブＧＵｅの表示が行われる。ここで、「Ｓｃｈｅｄｕｌｅ」のタブが選択されたとき、緊急度設定表示ＧＵｆが画面上に表示される。
【００７３】
緊急度設定表示ＧＵｆでは、チェックテーブルの閾値Ｍｅ，Ｎｅ，Ｍｄ，Ｎｄ，Ｍｋ，Ｎｋに対して、上方向のスピンコントロールアローと下方向のスピンコントロールアローがそれぞれ設けられている。また、緊急度設定表示ＧＵｆでは、スピンコントロールアローを操作して、閾値を増減させることが可能とされている。したがって、上映オペレータは、スピンコントロールアローを操作することで、閾値を所望の日数に設定することができる。また、スピンコントロールアローを操作するだけでなく、数字の入力操作を行って、閾値を設定してもよい。なお、図８において、「Ｅｖｅｎｔ  Ｆａｔａｌ ｓｔａｔｕｓ」は閾値Ｍｅ、「Ｅｖｅｎｔ Ｅｒｒｏｒ ｓｔａｔｕｓ」は閾値Ｎｅに相当する。「ＤＣＰ Ｆａｔａｌ ｓｔａｔｕｓ」は閾値Ｍｄ、「ＤＣＰ Ｅｒｒｏｒ ｓｔａｔｕｓ」は閾値Ｎｄに相当する。また、「ＫＤＭ Ｆａｔａｌ ｓｔａｔｕｓ」は閾値Ｍｋ、「ＫＤＭ Ｅｒｒｏｒ ｓｔａｔｕｓ」は閾値Ｎｋに相当する。
【００７４】
このように、コントロール部２０１は、該当しない確認項目について緊急度を判別する。
【００７５】
図５に戻り、ステップＳＴ５でコントロール部２０１は、ステップＳＴ４で判別された緊急度に基づいて、緊急度表示を行う。コントロール部２０１は、各イベントについて、該当しない確認項目に応じて判別された緊急度から、最も高い緊急度を選択してイベントの緊急度とする。例えば、図７に示すように、確認項目５，６が該当しない場合において、上映日から４日前では、ＤＣＰチェックテーブルから緊急度２、ＫＤＭチェックテーブルから緊急度１と判定される。この場合、緊急度２が最も高いことから緊急度２をイベントの緊急度とする。
【００７６】
さらに、コントロール部２０１は、イベントの緊急度に応じてイベント表示の属性を切り替えて、スケジュール表示で上映されるコンテンツの緊急度を認識できるようにする。図９は、緊急度に応じた表示の属性切り替えを例示している。例えば緊急度に応じて表示の背景色を切り替える。なお、図９では、緊急度３の場合に背景色を「赤色」、緊急度２の場合に背景色を「橙色」、緊急度１の場合に背景色を「黄色」としている。
【００７７】
図１０は、スケジュール表示において、イベント表示の背景色を緊急度に応じて変化された場合を例示している。オーディトリアムＮｏ１，Ｎｏ４，Ｎｏ５で上映されるコンテンツについて、全ての確認項目に該当していると判別されると、各イベント表示の背景色が白色とされる。また、オーディトリアムＮｏ２，Ｎｏ３で上映されるコンテンツについて、該当しない確認項目が判別されると該当しない確認項目毎に緊急度が判別される。さらに、判別された緊急度において最も高い緊急度に応じて背景色が設定される。例えば、オーディトリアムＮｏ２，Ｎｏ３で上映されるコンテンツについて、最も高い緊急度が緊急度２であるときは、イベント表示の背景色が「橙色」とされる。
【００７８】
このように、スケジュール表示において、イベント表示の背景色を緊急度に応じて変化させることで、いずれのイベントで速やかに対処する必要が生じているか、容易に把握できる。
【００７９】
ところで、イベント表示の背景色を緊急度に応じて変化させた場合、どのような確認項目が該当していないのか把握することができない。そこで、満たされていない条件を示す表示を管理画面に表示するようにしてもよい。例えば、該当しない確認項目に応じて、表示の透過度の切り替えを行う。また、該当しない確認項目とコンテンツやスケジュール等の関係を示したＴｏＤｏリストを表示して、緊急度が示されたとき、どのような確認項目が該当していないのか把握することができるようにしてもよい。
【００８０】
図１０では、該当しない確認項目に応じて、表示の透過度の切り替えを行った場合を示している。例えば、オーディトリアム３で上映されるコンテンツについて、ショーが関連付いていないため確認項目２が該当しないとき、背景を半透明とする。このようにすれば、どのような確認項目が該当していないのか把握することができる。
【００８１】
図１１は、スケジュール表示とＴｏＤｏリスト表示を画面上に表示した場合を例示している。ＴｏＤｏリスト表示ＧＵｇでは、例えば６つのタブＧＵｈの表示が行われる。具体的には、「Ａｌｌ」「ＫＤＭ」「ＤＣＰ」「Ｎｏ  Ｓｈｏｗ」「Ｕｎｃｏｍｐｌｅｔｅｄ」「Ｏｖｅｒｌａｐｐｅｄ」のタブが表示される。
【００８２】
コントロール部２０１は、「Ａｌｌ」のタブが選択されたとき、全ての確認項目を対象として、該当しない確認項目とコンテンツやスケジュール等の情報を表示する。コントロール部２０１は、「ＫＤＭ」のタブが選択されたとき、確認項目５を対象として、該当しない確認項目とコンテンツやスケジュール等の情報を表示する。コントロール部２０１は、「ＤＣＰ」のタブが選択されたとき、確認項目６を対象として、該当しない確認項目とコンテンツやスケジュール等の情報を表示する。コントロール部２０１は、「Ｎｏ  Ｓｈｏｗ」のタブが選択されたとき、確認項目２を対象として、該当しない確認項目とコンテンツやスケジュール等の情報を表示する。コントロール部２０１は、「Ｕｎｃｏｍｐｌｅｔｅｄ」のタブが選択されたとき、確認項目３，４を対象として、該当しない確認項目とコンテンツやスケジュール等の情報を表示する。コントロール部２０１は、「Ｏｖｅｒｌａｐｐｅｄ」のタブが選択されたとき、確認項目１を対象として、該当しない確認項目とコンテンツやスケジュール等の情報を表示する。
【００８３】
図１１に示すＴｏＤｏリスト表示ＧＵｇでは、タブ「ＫＤＭ」が選択された場合を例示している。ＴｏＤｏリスト表示ＧＵｇにおいて、「Ｔｙｐｅ」は該当しない確認項目を示しており、確認項目５が該当しないことを示す文字「ＫＤＭ」が表示される。また、「Ｓｃｈｅｄｕｌｅ」は確認項目５が該当しないイベントの上映開始時刻、「Ａｕｄｉｔｏｒｉｕｍ」はオーディトリアム、「Ｅｖｅｎｔ  Ｔｉｔｌｅ」はイベントのタイトルを示している。「Ｒｅａｓｏｎ」は、該当しない確認項目の内容を示している。
【００８４】
このようにＴｏＤｏリスト表示を設けることで、緊急度が示されたとき、どのような確認項目が該当していないのか把握することができるようになる。
【００８５】
さらに、再生装置と再生装置で上映されるコンテンツを関連付けた表示と、満たされていない条件を示す表示において、緊急度が示されたコンテンツと、緊急度の判別が行われたときに満たされていない条件を関連付けて表示させる。すなわち、スケジュール表示とＴｏＤｏリスト表示を表示する際に、緊急度が示されたコンテンツと、この緊急度の判別が行われたときに満たされていない条件を関連付けて表示させてもよい。このように、関連付けて表示を行うことで、コンテンツ毎に、どのような確認項目について緊急度が高いか容易に把握することができる。
【００８６】
図１２，図１３は、スケジュール表示とＴｏＤｏリスト表示を関連付けた場合を示している。
【００８７】
例えば図１２のＴｏＤｏリスト表示において、最上段のリスト表示を選択した場合、スケジュール表示における表示日を、選択されたリスト表示で示された日のスケジュールに切り替える。ここで、最上段のリスト表示を選択した場合、このリスト表示のスケジュール日は２月１２日であることから、図１３に示すように、スケジュール表示ＧＵｄを、２月１２日のスケジュールに切り替える。また、切り替え後のスケジュール表示ＧＵｄでは、ＴｏＤｏリスト表示から選択されたコンテンツとリンクされていることが識別可能なようにコンテンツの表示切り替えを行う。例えば選択されたリスト表示と同様な表示とする。なお、図１３では２重枠の表示とした場合を示しているが、表示色を同じ色に切り替えるものとしてもよい。このように、ＴｏＤｏリスト表示からいずれかのコンテンツが選択されたとき、再生装置と再生装置で上映されるコンテンツを関連付けたスケジュール表示では、選択されたコンテンツの上映日の表示が行われる。したがって、緊急度と満たされていない条件の関連性を容易に把握できるようになる。
【００８８】
また、図示せずも、スケジュール表示においてイベント表示が選択されたとき、ＴｏＤｏリスト表示において、選択されたイベント表示に関連するリスト表示を行うようにしてもよい。
【００８９】
このように、スケジュール表示とＴｏＤｏリスト表示をリンクさせれば、イベント表示と該当していない確認項目との関係を容易に把握できるようになる。
【００９０】
ところで、上述の実施の形態では、スケジュール表示で緊急度を表示している。しかし、緊急度の表示は、スケジュール表示と異なる管理画面で行うものとしてもよい。例えば図１４に示すＤＣＰ／ＫＤＭリスト表示ＧＵｊを利用してもよい。ＤＣＰ／ＫＤＭリスト表示は、コンテンツと鍵を関連付けてコンテンツと鍵の状態を示した一覧表示である。ＤＣＰ／ＫＤＭリスト表示では、上映日までの日数から判別した緊急度や鍵の状態に応じて表示の属性を切り替えて、コンテンツや鍵の状態と緊急度を識別可能とする。なお、図１４に示すＤＣＰ／ＫＤＭリスト表示ＧＵｊは、ストレージ装置とオーディトリアムを列項目、コンテンツや鍵を行項目とした配列表示とされている。
【００９１】
ＤＣＰ／ＫＤＭリスト表示では、コンテンツの状態に関して例えば以下に示す４つの状態を表示する。
コンテンツ状態１）コンテンツのデータがセントラルストレージ装置３０、各ホールの再生装置４０に記憶されているか否か。
コンテンツ状態２）コンテンツのデータが暗号化されているか否か。
コンテンツ状態３）コンテンツが３Ｄ映像用であるか否か。
コンテンツ状態４）スケジュールに対するコンテンツ準備の緊急度。
【００９２】
また、ＤＣＰ／ＫＤＭリスト表示では、ＫＤＭの状態に関して例えば以下に示す５つの状態を表示する。
ＫＤＭ状態１）鍵がセントラルストレージ装置３０、各ホールの再生装置４０に記憶されているか否か。
ＫＤＭ状態２）鍵が現在の時刻に対して有効であるか否か。
ＫＤＭ状態３）鍵の有効期間の状態。
ＫＤＭ状態４）スケジュールに対する鍵準備の緊急度。
ＫＤＭ状態５）鍵の有効期間。
【００９３】
管理装置２０は、コンテンツ状態１〜３について、例えばリール画像等のアイコンを用いてコンテンツ状態を識別可能とする。また、ＫＤＭ状態１〜３について、例えば鍵画像等のアイコンを用いてＫＤＭ状態を識別可能とする。すなわち、管理装置２０のコントロール部２０１は、オーディトリアムの再生装置等と上映されるコンテンツ等とによって示される配列位置に、該配列位置に対応する再生装置で該配列位置に対応するコンテンツの状態を示すアイコンを設ける。また、管理装置２０のコントロール部２０１は、オーディトリアムの再生装置等と上映されるコンテンツ等とによって示される配列位置に、該配列位置に対応する再生装置で該配列位置に対応するコンテンツを復号するときに用いる鍵の状態を示すアイコンを設ける。
【００９４】
また、緊急度に関するコンテンツ状態４およびＫＤＭ状態４については、上述の確認項目５，６に該当しない場合と同様に、図１０や図１１を用いた説明のように緊急度の判別を行う。
【００９５】
管理装置２０は、判別した緊急度に応じてＤＣＰ／ＫＤＭリスト表示の属性を切り替える。例えば、緊急度に応じて該当する表示領域の背景色の切り替えを行い、緊急度３の場合に背景色を「赤色」、緊急度２の場合に背景色を「橙色」、緊急度１の場合に背景色を「黄色」とする。
【００９６】
このようにすれば、スケジュール表示と異なる管理画面で緊急度を表示することができる。したがって、緊急度に基づいて作業に優先順位をつけることができるので、最適な順序で作業を効率よく行うことができる。また、上映に必要な作業を一覧表示するため、オペレーションミスを削減することができる。
【００９７】
また、この発明のディジタルシネマ管理装置とディジタルシネマ管理方法を、コンピュータ装置で実現するようにしてもよい。この場合、コンピュータ装置をディジタルシネマ管理装置のように機能させるコンピュータ・プログラムは、例えば、様々なプログラム・コードを実行可能な汎用コンピュータ・システムに対して、コンピュータ可読な形式で提供できるようにする。例えば、光ディスクや磁気ディスク、半導体メモリなどの記憶媒体、あるいは、ネットワークなどの通信媒体によってコンピュータ・プログラムと提供できるようにする。このようにコンピュータ・プログラムをコンピュータ可読な形式で提供することにより、コンピュータ装置上でコンピュータ・プログラムに応じた処理が行われて、上述したディジタルシネマ管理装置とディジタルシネマ管理方法を実現することが可能となる。
【００９８】
なお、本発明は、上述した発明の実施の形態に限定して解釈されるべきではない。この発明の実施の形態は、例示という形態で本発明を開示しており、本発明の要旨を逸脱しない範囲で当業者が実施の形態の修正や代用をなし得ることは自明である。すなわち、本発明の要旨を判断するためには、特許請求の範囲を参酌すべきである。
【産業上の利用可能性】
【００９９】
この発明のディジタルシネマ管理装置とディジタルシネマ管理方法では、上映スケジュールにしたがって再生装置でコンテンツの上映を行うために予め設定されている確認項目において、上映の条件を満たさない項目が検出されたき、上映日までの日数に応じて緊急度の判別を行い、管理画面上の表示の属性が判別された緊急度に応じて切り替えられる。このため、上映準備に必要な作業において、どのような作業を優先して行わなければならないか容易に把握できる。したがって、複数のオーディトリアムでコンテンツの上映を上映スケジュールにしたがって上映する場合に好適である。
【符号の説明】
【０１００】
１０・・・ディジタルシネマシステム、２０・・・ディジタルシネマ管理装置、３０・・・セントラルストレージ装置、４０・・・再生装置、２０１，４０１・・・コントロール部、２０２，４０２・・・入力部、２０３，４０３・・・表示部、２０４・・・データ格納部、２０５・・・ドライブ部、２０６・・・通信部、２０７，４０７，４０８，４０９・・・接続ポート、２０８，４１０・・・ローカルバス、４０４・・・コンテンツ記憶部、４０５・・・映像デコード部、４０６・・・音声デコード部、４１５・・・プロジェクタ、４１６・・・音声出力部
【図２】
2010231611.tif 000003
【図３】
2010231611.tif 000004
【図５】
2010231611.tif 000005
【図６】
2010231611.tif 000006
【図１】
2010231611.tif 000007
【図４】
2010231611.tif 000008
【図７】
2010231611.tif 000009
【図８】
2010231611.tif 000010
【図９】
2010231611.tif 000011
【図１０】
2010231611.tif 000012
【図１１】
2010231611.tif 000013
【図１２】
2010231611.tif 000014
【図１３】
2010231611.tif 000015
【図１４】
2010231611.tif 000016